(57)【要約】      （修正有）【課題】所定の照度が得られる秋小菊栽培時の電照方法を提供する。【解決手段】赤色ＬＥＤを秋小菊の栽培面に照射して小菊の花芽分化抑制を行う際に、定植面（畝面）の水平放射照度を65mW／m2以上を確保することにより、秋小菊栽培時の電照栽培を赤色ＬＥＤで行う。斜めから照射する場合は、光の照射角度を50±10度の範囲内とし、秋小菊に対し片側から照射する場合は、放射照度を100mW/m2以上を確保する。【選択図】図１
2018102215.tif 000002
【特許請求の範囲】
【請求項１】
赤色ＬＥＤを秋小菊の栽培面に照射して小菊の花芽分化抑制を行う際に、定植面（畝面）の水平放射照度を65mW／m2以上を確保することを特徴とする赤色ＬＥＤによる秋小菊栽培時の電照方法。
【請求項２】
畦の先端のように、秋小菊に対し電照が片側から照射されるような場合においては、定植面（畝面）の水平放射照度を100mW ／m2以上を確保できる赤色ＬＥＤによる秋小菊栽培時の電照方法。
【請求項３】
６ｍの間隔を置いてLED を栽培施設のフレームに設置し斜めから照射して秋小菊の花芽分化抑制を行う際に、光の照射角度を伏せ角50±10の範囲内とすることを特徴とする赤色ＬＥＤによる秋小菊栽培時の斜め電照方法。この場合において、請求項１および２における定植面（畝面）の水平放射照度を確保する電照方法。
【請求項４】
LED を栽培施設の天井にあるフレームに設置し真上から照射して、秋小菊の花芽分化抑制を行う赤色ＬＥＤによる秋小菊栽培の直下電照方法。この場合において、請求項１および２における定植面（畝面）の水平放射照度を確保する電照方法。
【請求項５】
前記の光の照射角度を安定させるために、平張施設の天井に縦横に敷設した角パイプに前記の赤色ＬＥＤを取付ける金具であって、前記角パイプの側面に当接する鉛直板を有し、落下防止フックを上端に一体に備え、前記鉛直板の下部に前記赤色ＬＥＤの取付け部を有し、前記角パイプの他方の側面と下面に当接し、前記鉛直板に当接する鉛直面とでクランク状に形成されたクランク板を有する請求項2 に記載の赤色ＬＥＤによる秋小菊栽培時の赤色LED 取り付け金具。
【請求項６】
LED 電球の傘の背面に取付けた平板を下向きに直角に折り曲げて鉛直面を形成し、かつ前記の平板を伏せ角θに応じた角度だけ鈍角に曲げると共に、前記の鉛直面と平板に取付けボルトを取付け可能としたことを特徴とする赤色LED 取り付け金具。
【発明の詳細な説明】
【技術分野】
【０００１】
本発明は、電照によって秋小菊の開花をコントロールする、電照栽培方法に関する。
【背景技術】
【０００２】
沖縄県の花卉生産は第一次産業で重要な地位を占めており、特に、電照栽培による秋小菊は日本一の生産量を誇る。近年は、白熱球製造と販売の自粛政策に伴い、電照用照明器具もLED への変更が求められているが、施設園芸向けの耐候性に優れたLED はほとんど無い。また、その活用方法も明確なものはない。
特許文献１のように、キク等短日開花性植物の電照栽培法の光源として光半導体を用いた方法が知られているが、秋小菊での実用性は本発明に及ばない。
【先行技術文献】
【特許文献】
【０００３】
【特許文献１】特開平８−228599
【発明の概要】
【発明が解決しようとする課題】
【０００４】
しかし、LED を露地もしくは通風性の高い園芸施設内で利用した場合、既存の電照用電線に吊り下げた状態では破損する可能性が考えられるため、施設内ではフレームにLED を設置するが、その場合、LED は対象物に対し、斜めもしくは天井方向からの電照を余儀なくされる。そのため、その配光状態と秋小菊に対する効果（花芽分化抑制）を得るために必要となる光の量は、明確にされる必要がある。また、LED は従来の白熱球よりも重いため、取付金具に配慮する必要がある。
本発明の技術的課題は、このような問題に着目し、秋小菊の花芽分化抑制のための所定の照度を明らかにすることと、重量のあるLED を施設のフレームに固定するため、特別に取付金具を用意する必要があるなどの課題を解決することが求められる。
【課題を解決するための手段】
【０００５】
本発明の技術的課題は次のような手段によって解決される。請求項１は、赤色ＬＥＤを秋小菊の栽培面に照射して小菊の花芽分化抑制を行う際に、定植面（畝面）における水平放射照度を65mW／m2以上確保することを特徴とする赤色ＬＥＤによる秋小菊栽培時の電照方法である。
【０００６】
請求項２は、畦の先端のように、秋小菊に対し電照が片側から照射されるような場合においては、定植面（畝面）の水平放射照度を100mW ／m2以上を確保できる赤色ＬＥＤによる秋小菊栽培の電照方法である。
【０００７】
請求項３は、６ｍの間隔を置いてLED を栽培施設のフレームに設置し斜めから照射して秋小菊の花芽分化抑制を行う際に、光の照射角度を伏せ角50±10の範囲内とすることを特徴とする赤色ＬＥＤによる秋小菊栽培の斜め電照方法である。この場合において、請求項１および２における定植面（畝面）の水平放射照度を確保する電照方法である。
【０００８】
請求項４は、LED を栽培施設の天井にあるフレームに設置し真上から照射して、秋小菊の花芽分化抑制を行う赤色ＬＥＤによる秋小菊栽培の直下電照方法である。この場合において、請求項１および２における定植面（畝面）の水平放射照度を確保する電照方法である。
【０００９】
請求項５は、赤色ＬＥＤによる秋小菊栽培装置であって、光の照射角度を安定させるために、平張施設の天井に縦横に敷設した角パイプに前記の赤色ＬＥＤを取付ける金具であって、前記角パイプの側面に当接する鉛直板を有し、落下防止フックを上端に一体に備え、前記鉛直板の下部に前記赤色ＬＥＤの取付け部を有し、前記角パイプの他方の側面と下面に当接し、前記鉛直板に当接する鉛直面とでクランク状に形成されたクランク板を有することを特徴とする赤色ＬＥＤによる秋小菊栽培装置における赤色LED 取り付け金具である。
【００１０】
請求項６は、LED 電球の傘の背面に取付けた平板を下向きに直角に折り曲げて鉛直面を形成し、かつ前記の平板を伏せ角θに応じた角度だけ鈍角に曲げると共に、前記の鉛直面と平板に取付けボルトを取付け可能としたことを特徴とする赤色LED 取り付け金具である。
【発明の効果】
【００１１】
請求項１のように、赤色ＬＥＤを秋小菊の栽培面に照射して小菊の花芽分化抑制を行う際に、定植面（畝面）の水平放射照度を65mW／m2以上を確保することにより、十分な花芽分化抑制が可能であることが確認できた。挿し木発根苗であれば定植から６週間以上、未発根の挿し穂の直挿しであれば植え付けから７週間以上、定植面（畝面）の水平放射照度を65mW／m2以上を確保した赤色LED 電照で４時間の深夜暗期中断を行えば、市場への出荷ができる茎の長さが確保でき、秋小菊の営利的切り花生産を可能にする。
【００１２】
請求項２のように、畦の先端に植え付けた秋小菊に対し電照が片側から照射されるような場合において、定植面（畝面）の水平放射照度を100mW ／m2以上を確保することにより、十分な花芽分化抑制が可能であることが確認できた。挿し木発根苗であれば定植から６週間以上、未発根の挿し穂の直挿しであれば植え付けから７週間以上、定植面（畝面）の水平放射照度を100mW ／m2以上を確保した赤色LED 電照で４時間の深夜暗期中断を行えば、市場への出荷ができる茎の長さが確保でき、秋小菊の営利的切り花生産を可能にする。
【００１３】
請求項３のように、６ｍの間隔を置いてLED を栽培施設のフレームに設置し斜めから照射して秋小菊の花芽分化抑制を行う際に、光の照射角度を伏せ角50±10の範囲内とする赤色ＬＥＤによる秋小菊栽培の斜め電照方法で、請求項１および２における定植面（畝面）の水平放射照度を確保することにより、十分な花芽分化抑制が可能であることが確認できた。挿し木発根苗であれば定植から６週間以上、未発根の挿し穂の直挿しであれば植え付けから７週間以上、請求項１および２における定植面（畝面）の水平放射照度を確保した赤色LED 電照で４時間の深夜暗期中断を行えば、市場への出荷ができる茎の長さが確保でき、秋小菊の営利的切り花生産を可能にする。
【００１４】
請求項４のように、LED を栽培施設の天井にあるフレームに設置し真上から照射して、秋小菊の花芽分化抑制を行う赤色ＬＥＤによる秋小菊栽培の直下電照方法で、請求項１および２における定植面（畝面）の水平放射照度を確保することにより、十分な花芽分化抑制が可能であることが確認できた。挿し木発根苗であれば定植から６週間以上、未発根の挿し穂の直挿しであれば植え付けから７週間以上、請求項１および２における定植面（畝面）の水平放射照度を確保した赤色LED 電照で４時間の深夜暗期中断を行えば、市場への出荷ができる茎の長さが確保でき、秋小菊の営利的切り花生産を可能にする。
【００１５】
請求項５のように、赤色ＬＥＤによる秋小菊栽培装置であって、平張施設の天井に縦横に敷設した角パイプに前記の赤色ＬＥＤを取付ける金具であって、前記角パイプの側面に当接する鉛直板を有し、落下防止フックを上端に一体に備え、前記鉛直板の下部に前記赤色ＬＥＤの取付け部を有し、前記角パイプの他方の側面と下面に当接し、前記鉛直板に当接する鉛直面とでクランク状に形成されたクランク板を有する構造にしたので、光の照射角度を安定させることができる。
【００１６】
請求項６のように、LED 電球の傘の平らな天井面に取付けた平板を下向きに直角に折り曲げて鉛直面を形成し、かつ前記の平板を伏せ角θに応じた角度だけ鈍角に曲げると共に、前記の鉛直面と平板に取付けボルトを取付け可能としたので、電球を真下に向けて取付けたり、伏せ角θに応じて斜め照射したりでき、秋小菊に対する照射角度が安定する。
【図面の簡単な説明】
【００１７】
【図１】真上からLED 電球で照射する場合の正面図である。
【図２】傘金具の詳細を示す図で、 (１) は正面図、（２）は右側面図である。
【図３】２方向からLED 電球を照射する例を斜視図で示す。
【図４】単一のLED 電球を片側のみから秋小菊に照射する例を示す斜視図である。
【図５】屋根金具の全容を示す図で、 (１) は屋根フレームに取付けた状態の縦断面図、 (２) は平面図、 (３）は左側面図、 (４) は右側面図、 (５) は底面図である。
【図６】分解図であり、 (１) は組立て状態、 (２) はＬ形の取付けプレートの側面図、 (３）はクランク形プレートの側面図である。
【図７】予め伏せ角だけ曲げた伏せ角金具の側面図である。
【発明を実施するための形態】
【００１８】
次に本発明による電照栽培方法が実際上どのように具体化されるか実施形態を説明する。本発明の方法で電照栽培するには、LED を真上から照射する場合と斜めから照射する場合とに分けられる。そのためには、LED が重いこともあって、特別な金具を必要とする。
図１は、真上から照射する場合の図で、LED 電球Ｌの傘１に取付けた特別な金具ｉを介して屋根フレームｆに取付けてある。このように角度を付けずに、真上からLED 電球Ｌで照射する場合は、園芸施設の端では放射照度100mW ／ｍ2 以上が必要であり、それ以外では65mW／ｍ2 以上を要する。ｃは小菊、Ｗは照射範囲を示す。                          図２は前記金具ｉの詳細を示す図で、 (１) は正面図、（２）は右側面図である。金具ｉは金属板を直角に曲げて、鉛直な辺ｉ１にボルトＢ１を予め取付けてあり、水平な辺ｉ２と傘１の中央とをボルトナットｂ１で連結固定してある。また、傘１の中央から背奥側にボルトＢ２を予め取付けてある。
【００１９】
図５は、金属プレートから成る屋根金具Ｐの全容を示す図で、 (１) は屋根フレームｆに取付けた状態の縦断面図、 (２) は平面図、 (３）は左側面図、 (４) は右側面図、 (５) は底面図である。図６はその分解図であり、屋根フレームｆをＬ形の屋根プレート８の上端とクランク形プレート９との間に屋根フレームｆを挟んだ状態で、ボルトナット１０で締めつけ固定する。そして、直角に曲げた取付けプレート８を用い、その水平辺81にLED 電球Ｌの傘部１の上面の水平板ｉ２を重ねて雄ねじＢ２をナットで締めつけて安定した姿勢とする。傘１の側面を屋根プレート８の鉛直辺82に取付ける場合は、前記鉛直辺i1を２本の雌ねじＢ１・Ｂ１で取付ける。
【００２０】
図３は、２方向からLED 電球Ｌ１、Ｌ２を照射する例であり、斜視図で示す。LED 電球Ｌ１、Ｌ２は、伏せ角θ・θを付けて２方向から斜め照射している。LED 電球Ｌ１、Ｌ２の条件は、請求項１および２における定植面（畝面）の水平放射照度を確保でき、中心波長625 〜636nm である赤色LED を用いる。このような電球はすでに複数の企業から消費電力16Ｗ〜22Ｗの耐候性に優れる屋外照明用LED として市販されており、比較的安価である。但し、屋外照明用LED の多くは白色であるので、LED チップを上記波長の赤色に交代する必要がある。１／２照度角が68°以上の拡散性を有することが本発明で扱うLED である。
【００２１】
これらのLED 電球を秋小菊栽培用施設内において、施設のフレームに6m間隔で配置し（6m四方内に２球配置することになる）高さ2.0mから2.3mの位置から伏せ角θ＝50±10°で発光させ、請求項１および２における定植面（畝面）での水平放射照度を確保し、深夜暗期中断を４時間することで、既存の白熱球と同等のキク生産が可能となる。この場合、10a あたりの電球使用数は従来の白熱球の半数、電力消費量は1/8 に低減できる。
【００２２】
図４は、単一のLED 電球Ｌを片側のみから秋小菊に照射する例を示す斜視図である。この場合は、定植面（畝面）での水平放射照度を 100mW／m2以上が必要である。
図３、図４のように、LED 電球Ｌを伏せ角θを付けて斜め照射する場合、図７のように予め伏せ角θだけ傘１の上面に対し鉛直面２を曲げた形状の伏せ金具ｉθを形成しておくと予め伏せ角θの設定が安定し正確となる。
すなわち、伏せ金具ｉθを形成するには、伏せ金具ｉθのLED 電球Ｌの傘部１の上面に重ね面３を重ねてボルトｂで締めつけて連結固定する。なお、伏せ角θだけ予め伏せ金具ｉを折り曲げ形成しておく。すなわち、平板から成る伏せ金具ｉの右側を直角に折り曲げて、鉛直の取付け面２を形成する。次に、前記重ね面３の前記鉛直取付け面２側の部位５で鈍角に折り曲げる。このとき、前記重ね面３と前記鉛直取付け面２とが伏せ角θとなるように設定される。
このように、予め伏せ角θだけ曲げた伏せ角金具ｉを使用すれば、伏せ角θが狂うことは無く、正確な伏せ角θとなる。
【産業上の利用可能性】
【００２３】
以上のように、秋小菊に対し真上から照射する場合も斜め方向から照射する場合も、設定した角度で固定金具を形成してあるので、一定の照射角度が狂うことは無く、安定した照射角度を維持できると共に、光の斜め照射でも十分な花芽抑制が可能であることが確認できた。電照時間は深夜で４時間、花芽抑制に必要な水平放射強度は定植面（畝面）で65mW／m2以上、但し、畦の先端では100mW ／m2以上であることから、現在多く使用されている白熱電球に比較して、大幅な節電効果も得られることは、実験結果によって証明された。また、固定金具は施設の被覆資材を傷つけず、台風来襲時にも十分な強度が得られる。
【符号の説明】
【００２４】
Ｃ  秋小菊
Ｌ・Ｌ１・Ｌ２  LEＤ電球
ｉ  金具
ｉ１  鉛直な辺
ｉ２  水平な辺（水平板）
１  傘
ｂ１  ボルトナット
Ｂ１  ボルト（の雄ねじ）
Ｂ２  ボルト（の雄ねじ）
Ｂ３  ボルト（の雄ねじ）
ｆ  屋根フレーム
10  ボルトナット
８  取付けプレート
81  水平辺
82  鉛直辺
θ  伏せ角
ｉθ  伏せ金具
２  鉛直な取付け面
３  重ね面
４  鉛直取付け面
５  鈍角折り曲げ部
【図１】
2018102215.tif 000003
【図２】
2018102215.tif 000004
【図３】
2018102215.tif 000005
【図４】
2018102215.tif 000006
【図５】
2018102215.tif 000007
【図６】
2018102215.tif 000008
【図７】
2018102215.tif 000009